(57)【要約】【課題】軸間冷却溝の内部を流れる冷却液の流速を上げて流量を増やし、冷却性能の向上を図る。【解決手段】ブロック側ウォータージャケット１０を有するシリンダブロック１と、ヘッド側ウォータージャケット４０を有するシリンダヘッド２と、シリンダブロック１とシリンダヘッド２との間に介設されるガスケット３と、を備える内燃機関のウォータージャケット構造であって、ブロック側ウォータージャケット１０は、導入部１１と、第１流路１５と、シリンダ列を挟んで第１流路１５と反対側の第２流路１６と、を有し、隣り合うシリンダ１ａ同士を隔てる隔壁１ｂには、第１流路１５と第２流路１６とを連通する軸間冷却溝１３が設けられ、ガスケット３は、第２流路１６と軸間冷却溝１３の第２流路１６側の端部１３ａとに跨る位置に、軸間貫通孔３３を有している。【選択図】図１１
2014095342.tif 000002
【特許請求の範囲】
【請求項１】
複数のシリンダと、前記複数のシリンダを冷却するためのブロック側ウォータージャケットと、を有するシリンダブロックと、
前記シリンダに連通する吸排気経路と、前記吸排気経路を冷却するためのヘッド側ウォータージャケットと、を有するシリンダヘッドと、
前記シリンダブロックと前記シリンダヘッドとの間に介設され、前記ブロック側ウォータージャケットと前記ヘッド側ウォータージャケットとを連通させるための複数の貫通孔を有するガスケットと、を備える内燃機関のウォータージャケット構造であって、
前記ブロック側ウォータージャケットは、前記シリンダブロックの上面に開口すると共に、シリンダ列方向の一端側に設けられた冷却液の導入部と、前記導入部から流入した冷却液をシリンダ列方向の一端側から他端側に向かって流す第１流路と、シリンダ列を挟んで前記第１流路と反対側でシリンダ列方向の他端側から一端側に冷却液を流す第２流路と、前記シリンダ列方向の他端側で前記第１流路から第２流路に冷却液を流す第３流路と、を有し、
前記ヘッド側ウォータージャケットは、前記シリンダヘッドの底面であって前記貫通孔に対応する位置に開口する冷却液の流入部を有し、
前記シリンダブロックの隣り合う前記シリンダ同士を隔てる隔壁には、上面に凹溝状に開口すると共に、前記第１流路と前記第２流路とを連通する軸間冷却溝が設けられ、
前記ガスケットは、前記第２流路と前記軸間冷却溝の前記第２流路側の端部とに跨る位置に、前記貫通孔を有している
ことを特徴とする内燃機関のウォータージャケット構造。
【請求項２】
前記吸排気経路は、前記シリンダに対応して設けられた複数の燃焼室頂部と、前記燃焼室頂部に連通する複数の吸気ポート及び複数の排気ポートと、を備え、
前記ヘッド側ウォータージャケットは、前記吸気ポートを冷却する吸気用ウォータージャケットと、前記吸気用ウォータージャケットに連通し、前記燃焼室頂部を冷却する燃焼室用ウォータージャケットと、を備え、
前記複数の貫通孔のうち、前記第２流路のシリンダ列方向の一端側に対応する位置に設けられた貫通孔は、前記燃焼室用ウォータージャケットに連通し、
前記第２流路と前記軸間冷却溝の前記第２流路側の端部とに跨る位置に設けられた貫通孔は、前記吸気用ウォータージャケットに連通することを特徴とする請求項１に記載の内燃機関のウォータージャケット構造。
【請求項３】
前記第１流路は、前記内燃機関の排気側に設けられていることを特徴とする請求項１又は請求項２に記載の内燃機関のウォータージャケット構造。
【請求項４】
前記シリンダヘッドは、前記複数の排気ポートを集合させる排気集合部を備え、
前記ヘッド側ウォータージャケットは、前記排気集合部に対してシリンダ軸線方向の下側に設けられた下側排気用ウォータージャケットを備え、
前記複数の貫通孔のうち、前記第１流路に対応する位置に設けられた貫通孔は、前記下側排気用ウォータージャケットに連通していることを特徴とする請求項１から請求項３のいずれか１項に記載の内燃機関のウォータージャケット構造。
【発明の詳細な説明】
【技術分野】
【０００１】
本発明は、内燃機関のウォータージャケット構造に関する。
【背景技術】
【０００２】
従来、シリンダブロックに設けられた複数のシリンダ同士の間を仕切る隔壁の上面に冷却液通路を形成し、高温となる隔壁を冷却することが行われている。
【０００３】
例えば、特許文献１には、シリンダボア間のシリンダブロック上面及びシリンダヘッド下面にそれぞれ対向して溝（軸間冷却溝）を刻設し、それらの溝により冷却水通路を形成し、その通路の一端をシリンダブロックのウォータージャケットに連通すると共に、他端をシリンダヘッドのウォータジャケットに連通した内燃機関の冷却構造が開示されている。
【先行技術文献】
【特許文献】
【０００４】
【特許文献１】実開昭６３−１３８４２０号公報
【発明の概要】
【発明が解決しようとする課題】
【０００５】
しかし、従来の軸間冷却溝は、狭い隔壁に形成されているので流路抵抗が大きく、溝の中に冷却液が入り込み難い。そのため、十分な冷却効果が得られていないという問題がある。一方、冷却液の流量を増やすために、溝の幅や深さを大きくすると、隔壁の剛性が低下するという問題がある。
【０００６】
本発明は、これらの問題に鑑みて成されたものであり、軸間冷却溝の内部を流れる冷却液の流速を上げて流量を増やし、冷却性能の向上を図ることを課題とする。
【課題を解決するための手段】
【０００７】
本発明は、複数のシリンダと、前記複数のシリンダを冷却するためのブロック側ウォータージャケットと、を有するシリンダブロックと、前記シリンダに連通する吸排気経路と、前記吸排気経路を冷却するためのヘッド側ウォータージャケットと、を有するシリンダヘッドと、前記シリンダブロックと前記シリンダヘッドとの間に介設され、前記ブロック側ウォータージャケットと前記ヘッド側ウォータージャケットとを連通させるための複数の貫通孔を有するガスケットと、を備える内燃機関のウォータージャケット構造であって、前記ブロック側ウォータージャケットは、前記シリンダブロックの上面に開口すると共に、シリンダ列方向の一端側に設けられた冷却液の導入部と、前記導入部から流入した冷却液をシリンダ列方向の一端側から他端側に向かって流す第１流路と、シリンダ列を挟んで前記第１流路と反対側でシリンダ列方向の他端側から一端側に冷却液を流す第２流路と、前記シリンダ列方向の他端側で前記第１流路から第２流路に冷却液を流す第３流路と、を有し、前記ヘッド側ウォータージャケットは、前記シリンダヘッドの底面であって前記貫通孔に対応する位置に開口する冷却液の流入部を有し、前記シリンダブロックの隣り合う前記シリンダ同士を隔てる隔壁には、上面に凹溝状に開口すると共に、前記第１流路と前記第２流路とを連通する軸間冷却溝が設けられ、前記ガスケットは、前記第２流路と前記軸間冷却溝の前記第２流路側の端部とに跨る位置に、前記貫通孔を有していることを特徴とする。
【０００８】
このような構成によれば、ブロック側ウォータージャケットのうち導入部から遠く比較的流速の遅い第２流路と、軸間冷却溝の第２流路側の端部と、の連結部位に跨るように（重なるように）、ガスケットの貫通孔を設けたので、第２流路及び軸間冷却溝の第２流路側の端部からこの貫通孔を通ってヘッド側ウォータージャケットに冷却液が流出する。そのため、第２流路側の冷却液の抵抗（圧力）が低くなり、軸間冷却溝内を冷却液が第１流路側から第２流路側に流れ易くなる。その結果、軸間冷却溝内での冷却液の滞留が抑制され、冷却液の流速が速くなって流量が増え、シリンダ同士を仕切る隔壁の冷却効果が向上する。
【０００９】
また、前記吸排気経路は、前記シリンダに対応して設けられた複数の燃焼室頂部と、前記燃焼室頂部に連通する複数の吸気ポート及び複数の排気ポートと、を備え、前記ヘッド側ウォータージャケットは、前記吸気ポートを冷却する吸気用ウォータージャケットと、前記吸気用ウォータージャケットに連通し、前記燃焼室頂部を冷却する燃焼室用ウォータージャケットと、を備え、前記複数の貫通孔のうち、前記第２流路のシリンダ列方向の一端側に対応する位置に設けられた貫通孔は、前記燃焼室用ウォータージャケットに連通し、前記第２流路と前記軸間冷却溝の前記第２流路側の端部とに跨る位置に設けられた貫通孔は、前記吸気用ウォータージャケットに連通する構成とするのが好ましい。
【００１０】
このような構成によれば、第２流路と軸間冷却溝との連結部位に吸気用ウォータージャケットに通じる貫通孔を設け、この貫通孔に第２流路と軸間冷却溝から冷却液を供給するので、軸間冷却溝による隔壁の冷却効率が向上するとともに、吸気用ウォータージャケットに冷却液を十分に供給することができる。また、第２流路の一端側（下流側）に到達する冷却液が増えるので、第２流路の下流側に設けた貫通孔から比較的冷却要求の高い燃焼室用ウォータージャケットに十分な冷却液量を供給できる。そのため、内燃機関全体の冷却効率を高めることができる。
【００１１】
また、前記第１流路は、前記内燃機関の排気側に設けられている構成とするのが好ましい。
【００１２】
このような構成によれば、比較的冷却要求の高い排気側から冷却液を導入するので、流速を維持して冷却効率が高まる。さらに、軸間冷却溝の両端部のうち、第２流路側の端部に比較して流路面積が狭く抵抗の高い第１流路側の端部が冷却液の入口となり、ガスケットの貫通孔によって流路面積が広げられて抵抗の低い第２流路側の端部が冷却液の出口となるので、流速が高い第１流路側から冷却液を流入させて軸間冷却溝内の流速を確保でき、少ない冷却液で効果的な冷却が可能となり、ウォーターポンプの小型化を図ることができる。
【００１３】
また、前記シリンダヘッドは、前記複数の排気ポートを集合させる排気集合部を備え、前記ヘッド側ウォータージャケットは、前記排気集合部に対してシリンダ軸線方向の下側に設けられた下側排気用ウォータージャケットを備え、前記複数の貫通孔のうち、前記第１流路に対応する位置に設けられた貫通孔は、前記下側排気用ウォータージャケットに連通している構成とするのが好ましい。
【００１４】
このような構成によれば、最も高温となる排気集合部の下側に配置した下側排気用ウォータージャケットに、流速が高く温度の低い第１流路から冷却液を供給することで、少ない冷却液で効果的な冷却が可能となり、内燃機関の小型化を図ることができる。
【発明の効果】
【００１５】
本発明によれば、軸間冷却溝の内部を流れる冷却液の流速を上げて流量を増やし、冷却性能の向上を図ることができる。
【図面の簡単な説明】
【００１６】
【図１】本実施形態に係るシリンダヘッドのウォータージャケット構造を有する内燃機関の断面図である。
【図２】シリンダヘッドの斜視図である。
【図３】シリンダヘッドの内部の排気集合部及びヘッド側ウォータージャケットを透視して描いた斜視図である。
【図４】ヘッド側ウォータージャケットと排気集合部とを上下に分解して示した斜視図である。
【図５】吸気用ウォータージャケット、燃焼室用ウォータージャケット及び上側排気用ウォータージャケットの底面図である。
【図６】下側排気用ウォータージャケットの底面図である。
【図７】ヘッド側ウォータージャケットと排気集合部を前方からみた正面図である。
【図８】ブロック側ウォータージャケットから吸気用ウォータージャケットへの冷却液の流れを説明するための分解斜視図である。
【図９】ブロック側ウォータージャケットから下側排気用ウォータージャケットへの冷却液の流れを説明するための分解斜視図である。
【図１０】ガスケットにヘッド側ウォータージャケットとブロック側ウォータージャケットとを重ねて描いた底面図である。
【図１１】（ａ）は、図１０に示すＸＩ−ＸＩ矢視の断面図であり、（ｂ）は（ａ）に示すＢ部の拡大図である。
【図１２】吸気用ウォータージャケット、燃焼室用ウォータージャケット及び上側排気用ウォータージャケットの冷却液の流れを説明するための底面図である。
【図１３】下側排気用ウォータージャケットの冷却液の流れを説明するための底面図である。
【発明を実施するための形態】
【００１７】
本発明の実施形態について、図１乃至図１３を参照して詳細に説明する。説明において、同一の要素には同一の番号を付し、重複する説明は省略する。また、方向を説明する場合は、各図に示すように、内燃機関Ｅが車両に設置された状態における前後左右上下に基づいて説明する。
【００１８】
図１は、本実施形態に係るシリンダヘッドのウォータージャケット構造を有する内燃機関の断面図である。
図１に示すように、本発明が適用された内燃機関Ｅは、４つのシリンダ１ａ（図１では１つのみ図示）が直列に配列されて一体に設けられたシリンダブロック１と、シリンダブロック１の上側端部に結合されるシリンダヘッド２と、シリンダブロック１とシリンダヘッド２の間に設置されるガスケット３と、シリンダヘッド２の上側端部に結合されるヘッドカバー（図示省略）とから構成される機関本体を備える。
【００１９】
内燃機関Ｅは、４つのシリンダ１ａと、各シリンダ１ａに往復運動可能に嵌合するピストン４と、各ピストン４にコンロッド５を介して連結されるクランク軸６とを備える多気筒内燃機関であり、搭載対象としての車両に、クランク軸６の回転中心線が左右方向に指向する横置き配置で搭載される。また、内燃機関Ｅは、吸気側を車両後方に向けて配置されるとともに排気側を車両前方に向けて配置されている。
シリンダ１ａ毎に、該シリンダ１ａのシリンダ軸線Ｌｃに平行な方向であるシリンダ軸線方向でピストン４とシリンダヘッド２との間には、シリンダ１ａとピストン４とシリンダヘッド２とにより燃焼室７が形成される。
なお、本実施形態では、シリンダ軸線Ｌｃと鉛直軸方向（すなわち上下方向）とが一致するように内燃機関Ｅが設置されているが、本発明はこれに限定されるものではなく、例えばシリンダ軸線Ｌｃが鉛直軸方向に対して傾斜するように内燃機関Ｅを設置してもよい。
【００２０】
シリンダブロック１は、前記したシリンダ１ａやクランクケース（図示省略）の他、シリンダ１ａを冷却する冷却液の流路となるブロック側ウォータージャケット１０を有している。ブロック側ウォータージャケット１０は、４つのシリンダ１ａの全体を連続的に囲う凹溝状の空間であり、シリンダブロック１の上面に開口している（図８、図９参照）。ブロック側ウォータージャケット１０の一端側には、図示しないラジエータで冷却された冷却液が供給されている。また、ブロック側ウォータージャケット１０は、ガスケット３の貫通孔３２，３５等を介して、後記する吸気用ウォータージャケット５０及び下側排気用ウォータージャケット９０に連通しており、両者に冷却液を供給している。ブロック側ウォータージャケット１０及びガスケット３については後に詳しく説明する。
【００２１】
図２は、シリンダヘッドの斜視図である。図３は、シリンダヘッドの内部の排気集合部及びヘッド側ウォータージャケットを透視して描いた斜視図である。なお、図３では、シリンダヘッド２の外形を仮想線（二点鎖線）で描いている。
【００２２】
シリンダヘッド２は、中子を用いた鋳造成形で製造される金属製部材である。シリンダヘッド２は、図１乃至図３（主に図１）に示すように、燃焼室７の頂部を構成する４つの燃焼室頂部２１（図１では１つのみ図示）と、各燃焼室７にエアを導入する吸気ポート２２と、各燃焼室７から燃焼ガスを排出する排気ポート２３と、シリンダヘッド２の内部において複数の排気ポート２３を集合させる排気集合部２４と、これらを冷却するためのヘッド側ウォータージャケット４０と、を主に有している。また、シリンダヘッド２は、その上部に動弁機構の一部（図示省略）を収容する動弁室２５を有している。
【００２３】
燃焼室頂部２１は、シリンダヘッド２の底面２ａに設けられた略円錐形状の凹部である。吸気ポート２２は、各燃焼室頂部２１とシリンダヘッド２の後面２ｂとを連通している。排気ポート２３は、各燃焼室頂部２１と排気集合部２４とを連通している。吸気ポート２２及び排気ポート２３は、１つの燃焼室頂部２１に対して２つずつ設けられている。なお、吸気ポート２２及び排気ポート２３には、図示しない吸気バルブ及び排気バルブが設置されている。
【００２４】
図２に示すように、排気集合部２４は、シリンダヘッド２の前面２ｃの左右方向の略中央部に開口する１つの開口部２４ａを有している。排気集合部２４は、シリンダヘッド２の内部であってシリンダブロック１よりも前方に張り出した部位に設けられている（図１参照）。動弁室２５は、シリンダヘッド２の上面２ｄに形成された凹状の空間である。動弁室２５には、図示しないカムシャフトやロッカアームやバルブ等の動弁機構の一部が収容される。また、シリンダヘッド２の左側面２ｅには、後記するヘッド側ウォータージャケット４０の冷却液の出口となる出口開口部６３，８３，９３が形成されている。シリンダヘッド２の左側面２ｅには、出口開口部６３，８３，９３から排出される冷却液をヒータやラジエータに分配するウォーターアウトレット（図示省略）が取り付けられる。
【００２５】
なお、シリンダヘッド２の前面２ｃには、鋳造成形時にキャビティ内に設置される中子と型枠に支持される巾木とを連結する連結部によって形成される２つの支持孔２ｆが存在するが、この支持孔２ｆは後付けのキャップ等で閉塞される。
【００２６】
図１及び図３に示すように、ヘッド側ウォータージャケット４０は、冷却液の流路となる空間であり、吸気ポート２２を冷却するための吸気用ウォータージャケット５０と、燃焼室頂部２１を冷却するための燃焼室用ウォータージャケット６０と、排気ポート２３及び排気集合部２４を冷却するための排気用ウォータージャケット７０と、を備えている。
【００２７】
図１に示すように、吸気用ウォータージャケット５０は、吸気ポート２２の下方に設けられている。燃焼室用ウォータージャケット６０は、燃焼室頂部２１の直上であって吸気ポート２２と排気ポート２３の間に設けられている。排気用ウォータージャケット７０は、排気ポート２３及び排気集合部２４の上側に配置された上側排気用ウォータージャケット８０と、排気ポート２３及び排気集合部２４の下側に配置された下側排気用ウォータージャケット９０と、を有している。
【００２８】
吸気用ウォータージャケット５０は、ブロック側ウォータージャケット１０に連通すると共に、燃焼室用ウォータージャケット６０に連通している（図１の破線を参照）。燃焼室用ウォータージャケット６０は、ブロック側ウォータージャケット１０に連通すると共に、上側排気用ウォータージャケット８０に連通している。下側排気用ウォータージャケット９０は、ブロック側ウォータージャケット１０に連通している。そして、下側排気用ウォータージャケット９０は、吸気用ウォータージャケット５０、燃焼室用ウォータージャケット６０及び上側排気用ウォータージャケット８０に連通していない。すなわち、上側排気用ウォータージャケット８０と下側排気用ウォータージャケット９０とは、シリンダヘッド２の内部において互いに独立した流路を形成している。
【００２９】
次に、排気集合部２４及びヘッド側ウォータージャケット４０（すなわち、吸気用ウォータージャケット５０、燃焼室用ウォータージャケット６０、上側排気用ウォータージャケット８０及び下側排気用ウォータージャケット９０）の詳細な構造について、図４乃至図７を参照して説明する。
【００３０】
図４は、ヘッド側ウォータージャケットと排気集合部とを上下に分解して示した斜視図である。図５は、吸気用ウォータージャケット、燃焼室用ウォータージャケット及び上側排気用ウォータージャケットの底面図である。図６は、下側排気用ウォータージャケットの底面図である。図７は、ヘッド側ウォータージャケットと排気集合部を前方からみた正面図である。
ここで、図４乃至図７では、説明の便宜のため、空間である排気集合部２４及びヘッド側ウォータージャケット４０を実体があるもの（すなわちこれらに対応する中子）のように描いている。
【００３１】
図４に示すように、排気集合部２４は、各燃焼室７に連通する２本の排気ポート２３を１本に集合させる第１集合部２４ｂと、４本の第１集合部２４ｂを開口部２４ａの直前で１か所に集合させる第２集合部２４ｃと、を有している。第２集合部２４ｃ及び開口部２４ａは、シリンダヘッド２の左右方向の略中央部に設けられている。４本の第１集合部２４ｂのうち、右側及び左側の第１集合部２４ｂは、両者の中間の２つの第１集合部２４ｂよりも長い。この右側及び左側の第１集合部２４ｂの前側の側面が、後記する上側排気用ウォータージャケット８０の突出部８１及び下側排気用ウォータージャケット９０の突出部９１（図１，図４乃至図６参照）による冷却対象となる排気集合部２４の下流側側部２４ｄを構成している。下流側側部２４ｄは、平面視で、左右両端の排気ポート２３から中央の開口部２４ａに近づくほど前側に位置するように傾斜している。
【００３２】
図４、図５（主に図５）に示すように、吸気用ウォータージャケット５０は、吸気ポート２２（図１参照）を冷却する部位であり、各吸気ポート２２の下側を左右方向に横断するように蛇行しながら延設されている。吸気用ウォータージャケット５０は、各吸気ポート２２の下方に、シリンダヘッド２の底面２ａ（図２参照）に開口する８つの吸気側流入部５１を有している。また、吸気用ウォータージャケット５０は、隣り合うシリンダ１ａ同士の間（以下、「シリンダ軸間」という場合がある。）及び左右のシリンダ１ａの外側に対応する位置に、燃焼室用ウォータージャケット６０と連通する連通部５２を有している。３つのシリンダ軸間の連通部５２の下方には、シリンダヘッド２の底面２ａに開口する軸間流入部５３がそれぞれ設けられている。
【００３３】
燃焼室用ウォータージャケット６０は、燃焼室頂部２１（図１参照）を冷却する部位であり、各燃焼室頂部２１の上方を左右方向に横断するように延設されている。燃焼室用ウォータージャケット６０は、吸気用ウォータージャケット５０よりも前後方向に幅広に形成されており、図示しない点火プラグの周囲を囲っている。燃焼室用ウォータージャケット６０は、右側の端部に、シリンダヘッド２の底面２ａに開口する２つの燃焼室側流入部６１を有している（図７参照）。また、燃焼室用ウォータージャケット６０は、排気ポート２３（図１参照）同士の間に対応する位置に、上側排気用ウォータージャケット８０と連通する連通部６２を有している。さらに、燃焼室用ウォータージャケット６０は、左側の端部に、シリンダヘッド２の左側面２ｅに開口して冷却液の出口となる出口開口部６３を有している（図２参照）。出口開口部６３は、燃焼室用ウォータージャケット６０よりも前後方向に幅広に形成されており、前側に延設されている。
【００３４】
図４、図５、図７（主に図５）に示すように、上側排気用ウォータージャケット８０は、各排気ポート２３及び排気集合部２４の上側を被覆するように設けられている。上側排気用ウォータージャケット８０は、吸気用ウォータージャケット５０及び燃焼室用ウォータージャケット６０に比較して、前後方向の幅寸法が広く、かつ、上下方向の厚さ寸法が薄く形成されている（図１参照）。上側排気用ウォータージャケット８０は、前側の端部から下向きに突出する突出部８１を有している（図１参照）。突出部８１は、排気集合部２４の下流側側部２４ｄに対向するように配置されている。なお、上側排気用ウォータージャケット８０の前側の端部のうち排気集合部２４の開口部２４ａに対応する部分８２には突出部８１が設けられていない。上側排気用ウォータージャケット８０は、左側の端部に、シリンダヘッド２の左側面２ｅに開口して冷却液の出口となる出口開口部８３を有している（図２参照）。
【００３５】
ちなみに、図５を参照して説明すると、吸気用ウォータージャケット５０と燃焼室用ウォータージャケット６０の間の部位５５には、吸気ポート２２が設置される。また、燃焼室用ウォータージャケット６０のうちシリンダ１ａの中心位置に対応する部位６５には、点火プラグ（図示省略）が設置される。また、燃焼室用ウォータージャケット６０と上側排気用ウォータージャケット８０の間の部位６７には、排気弁（図示省略）が設置される。
【００３６】
図４、図６、図７（主に図６）に示すように、下側排気用ウォータージャケット９０は、各排気ポート２３及び排気集合部２４の下側を被覆するように設けられている。下側排気用ウォータージャケット９０は、上側排気用ウォータージャケット８０と厚さ寸法が同程度となるように扁平に形成されている（図１参照）。下側排気用ウォータージャケット９０は、前側の端部から上向きに突出する突出部９１を有している（図１参照）。突出部９１は、排気集合部２４の下流側側部２４ｄに対向するように配置されている。なお、下側排気用ウォータージャケット９０の前側の端部のうち排気集合部２４の開口部２４ａに対応する部分９２には突出部９１が設けられていない。下側排気用ウォータージャケット９０は、左側の端部に、シリンダヘッド２の左側面２ｅに開口して冷却液の出口となる出口開口部９３を有している（図２参照）。下側排気用ウォータージャケット９０は、後側の端部であって各排気ポート２３の下方に対応する位置に、シリンダヘッド２の底面２ａに開口する８つの排気側流入部９４を有している。このように、排気ポート２３の直下に排気側流入部９４が設けられているので、排気ポート２３を効率よく冷却することができる。なお、出口開口部９３から最も遠い側（すなわち上流側）の２つの排気側流入部９４の間には、追加流入部９５が設けられている。
【００３７】
なお、排気集合部２４及びヘッド側ウォータージャケット４０は、図４に示すような形状の砂型である第２ウォータージャケット用中子２００、排気用中子３００及び第１ウォータージャケット用中子１００を、シリンダヘッド２の鋳造用金型（図示省略）のキャビティに下からこの順序で設置することによって形成される。つまり、３つの中子を下から順に積み重ねるように配置するだけで中子の設置が完了するので、中子の設置作業の煩雑化が抑制される。
【００３８】
図８は、ブロック側ウォータージャケットから吸気用ウォータージャケットへの冷却液の流れを説明するための分解斜視図である。図９は、ブロック側ウォータージャケットから下側排気用ウォータージャケットへの冷却液の流れを説明するための分解斜視図である。図１０は、ガスケットの底面図にヘッド側ウォータージャケットとブロック側ウォータージャケットとを重ねて描いた底面図である。
なお、図８、図９では、説明の便宜のため、ヘッド側ウォータージャケット４０のうち、流入部以外の部分を仮想線（二点鎖線）で描いている。また、図１０では、ガスケット３にドットのハッチングを付すと共にブロック側ウォータージャケット１０の開口部を仮想線（太破線）で描き込んでいる。
【００３９】
図８、図９、図１０に示すように、ブロック側ウォータージャケット１０は、４つのシリンダ１ａの周囲を全体的に囲むように形成されている。ブロック側ウォータージャケット１０は、冷却液の導入部１１と、導入部１１から流入した冷却液をシリンダ列方向の一端側から他端側（本実施形態では右側から左側）に向かって流す上流側の第１流路１５と、シリンダ列を挟んで第１流路１５と反対側でシリンダ列方向の他端側から一端側（本実施形態では左側から右側）に冷却液を流す下流側の第２流路１６と、シリンダ列方向の他端側（左側）で第１流路１５から第２流路１６に冷却液を流す中間の第３流路１７と、を有している。導入部１１は、最も右側のシリンダ１ａの前側に設けられており、他の部位よりも幅広に形成されている。導入部１１には、仕切部材１１ａが挿入されており、冷却液の流れる方向を規制している。本実施形態では、導入部１１の仕切部材１１ａよりも左側に冷却液配管Ｐが接続されている。また、ブロック側ウォータージャケット１０は、シリンダ１ａ同士の間（隔壁１ｂ（図１１参照））に対応する部位にくびれ部１２を有している。また、隔壁１ｂの上面には、前側と後側のくびれ部１２同士を連通する凹溝状の軸間冷却溝１３が形成されている。第１流路１５は、第２流路１６に比較して、導入部１１に近い分だけ冷却液の流速が早い。
【００４０】
ここで、軸間冷却溝１３について、図１１を参照して詳細に説明する。図１１（ａ）は、図１０に示すＸＩ−ＸＩ矢視の断面図であり、（ｂ）は（ａ）に示すＢ部の拡大図である。
【００４１】
図１１に示すように、軸間冷却溝１３は、シリンダブロック１の上面に凹設された溝であり、隣り合うシリンダ１ａ同士の間である隔壁１ｂを冷却するための冷却液通路である。軸間冷却溝１３は、シリンダブロック１の上面付近において、前側（排気側）に配置された第１流路１５のくびれ部１２と後側（吸気側）に配置された第２流路１６のくびれ部１２とを連通している。軸間冷却溝１３は、長さ寸法に比較して幅寸法が小さく形成されている。そのため、軸間冷却溝１３は、冷却液の流路抵抗が大きい。
【００４２】
図８、図９、図１０（主に図１０）に示すように、ガスケット３は、シリンダブロック１とシリンダヘッド２の結合部をシールする金属製の板状部材である。ガスケット３は、シリンダブロック１の４つのシリンダ１ａに対応する４つのシリンダ開口部３１を有している。また、ガスケット３は、吸気用ウォータージャケット５０の吸気側流入部５１及び軸間流入部５３に対応する位置に形成された吸気側貫通孔３２及び軸間貫通孔３３と、燃焼室用ウォータージャケット６０の燃焼室側流入部６１に対応する位置に形成された燃焼室側貫通孔３４と、下側排気用ウォータージャケット９０の排気側流入部９４及び追加流入部９５に対応する位置に形成された排気側貫通孔３５及び追加貫通孔３６と、を有している。これらの吸気側貫通孔３２、軸間貫通孔３３、燃焼室側貫通孔３４、排気側貫通孔３５及び追加貫通孔３６は、すべてブロック側ウォータージャケット１０の開口部に対応する位置に形成されている。吸気側貫通孔３２及び排気側貫通孔３５は、一部に例外はあるが、右側に位置する孔の方（出口開口部６３，８３，９３から遠い孔の方）が概ね大径に形成されている。特に、燃焼室側貫通孔３４は、他の貫通孔３２，３３，３５，３６よりも大きな径に形成されている。これにより、後記する縦流れが形成され易くなる。
【００４３】
ここで、軸間貫通孔３３について、図１０を参照して詳細に説明する。
図１０に示すように、軸間貫通孔３３は、軸間冷却溝１３を流れてきた冷却液と、後側（吸気側）のブロック側ウォータージャケット１０（つまり第２流路１６）を流れてきた冷却液と、をヘッド側ウォータージャケット４０（より詳しくは吸気用ウォータージャケット５０の軸間流入部５３）に導くための貫通孔である。軸間貫通孔３３は、軸間冷却溝１３の後側（吸気側）の端部１３ａと、後側のくびれ部１２と、に跨った位置に設けられている。これにより、軸間冷却溝１３の後側の端部１３ａの流路抵抗が減少する。なお、軸間冷却溝１３の前側（排気側）の端部１３ｂに対応する位置には、貫通孔が形成されていない。
【００４４】
次に、ブロック側ウォータージャケット１０及びヘッド側ウォータージャケット４０における冷却液の流れについて、図８乃至図１３を参照して説明する。
図１２は、吸気用ウォータージャケット、燃焼室用ウォータージャケット及び上側排気用ウォータージャケットの冷却液の流れを説明するための底面図である。図１３は、下側排気用ウォータージャケットの冷却液の流れを説明するための底面図である。
【００４５】
図８、図９に示すように、冷却液配管Ｐから導入部１１に流入した冷却液（矢印Ｙ１）は、ブロック側ウォータージャケット１０に沿ってシリンダ１ａの前側を左方向に流れ（矢印Ｙ２）、左端部でＵターンしたのち（矢印Ｙ３）、ブロック側ウォータージャケット１０に沿ってシリンダ１ａの後側を右方向に流れ（矢印Ｙ４）、右端部に到達する（矢印Ｙ５）。また、冷却液は、軸間冷却溝１３を通って、前側のくびれ部１２から後側のくびれ部１２に向かって流れる（矢印Ｙ６）。
【００４６】
図９に示すように、ブロック側ウォータージャケット１０に沿ってシリンダ１ａの前側を左方向に流れる冷却液（矢印Ｙ２）の一部は、ガスケット３に形成された排気側貫通孔３５及び追加貫通孔３６を通って、排気側流入部９４及び追加流入部９５から下側排気用ウォータージャケット９０の内部に流入する（矢印Ｙ７）。すなわち、本実施形態における冷却液の流れは、吸気用ウォータージャケット５０に先行して下側排気用ウォータージャケット９０に冷却液が流入するいわゆる排気先行型の流れになっている。これにより、排気ポート２３及び排気集合部２４を効率的に冷却することができる。
【００４７】
また、図８に示すように、ブロック側ウォータージャケット１０に沿ってシリンダ１ａの後側を右方向に流れる冷却液（矢印Ｙ４）の一部は、ガスケット３に形成された吸気側貫通孔３２を通って、吸気側流入部５１から吸気用ウォータージャケット５０の内部に流入する（矢印Ｙ８ａ）。また、軸間冷却溝１３を通る冷却液（矢印Ｙ６）は、後側のくびれ部１２に合流したところで、ガスケット３に形成された軸間貫通孔３３を通って、軸間流入部５３から吸気用ウォータージャケット５０の内部に流入する（矢印Ｙ８ｂ）。また、ブロック側ウォータージャケット１０の右端部に到達した冷却液（矢印Ｙ５）は、ガスケット３に形成された燃焼室側貫通孔３４を通って、燃焼室側流入部６１から燃焼室用ウォータージャケット６０の右端部に流入する（矢印Ｙ９）。
【００４８】
ところで、軸間冷却溝１３は、長さ寸法に比較して幅寸法が小さいので、流路抵抗が大きく、冷却液が流入しにくい。そこで、本実施形態では、図１１（ｂ）に示すように、軸間冷却溝１３の後側（吸気側）の端部１３ａと、後側のくびれ部１２と、に跨った位置に軸間貫通孔３３を設ける構成とした。このような構成によれば、軸間冷却溝１３の後側（吸気側）の端部１３ａの流路抵抗が小さくなるので、軸間冷却溝１３から冷却液が流出し易くなり、軸間冷却溝１３内の冷却液が、後側のくびれ部１２を流れる冷却液と共に軸間貫通孔３３を通って吸気用ウォータージャケット５０の軸間流入部５３に流入する（矢印Ｙ２０、Ｙ２１）。そうすると、この流れによって軸間冷却溝１３の後側の端部１３ａ付近に負圧が発生し、この負圧によって前側のくびれ部１２の冷却液が軸間冷却溝１３の前側の端部１３ｂから軸間冷却溝１３内に流入する（矢印Ｙ２２）。これにより、軸間冷却溝１３の上流側の流路抵抗（流入抵抗）が比較的大きくても、軸間冷却溝１３内に冷却液を流入させることができるので、燃焼室７に挟まれて高温になるシリンダブロック１の隔壁１ｂを効率よく冷却することができる。なお、図１１（ｂ）に矢印Ｙ２０及び矢印Ｙ２１で示した冷却液の流れが、図８に矢印Ｙ８ｂで示した冷却液の流れになり、図１１（ｂ）に矢印Ｙ２２で示した冷却液の流れが、図８に矢印Ｙ６で示した冷却液の流れになる。
【００４９】
図１２に示すように、燃焼室側流入部６１から燃焼室用ウォータージャケット６０の右端部に流入した冷却液は、左端部の出口開口部６３に向かって右から左に流れる（矢印Ｙ１０）。この流れ（矢印Ｙ１０）が、燃焼室用ウォータージャケット６０においてシリンダ１ａ（すなわち燃焼室頂部２１）の配列方向Ｌｂ（図８、図９参照）に沿う流れ（いわゆる縦流れ）を形成する。また、吸気側流入部５１及び軸間流入部５３から吸気用ウォータージャケット５０の内部に流入した冷却液は、連通部５２を通って燃焼室用ウォータージャケット６０に流入し（矢印Ｙ１１）、前記した縦流れに合流する。燃焼室用ウォータージャケット６０の内部を右から左へ流れた冷却液（矢印Ｙ１０）は、出口開口部６３からシリンダヘッド２の外部へ流出する。
【００５０】
燃焼室用ウォータージャケット６０を流れる冷却液の一部は、連通部６２を通って上側排気用ウォータージャケット８０に流入する。各連通部６２から流入した流れ（矢印Ｙ１２）は、上側排気用ウォータージャケット８０の前端側で合流し、シリンダ１ａ（すなわち燃焼室頂部２１）の配列方向Ｌｂ（図８、図９参照）に沿う流れ（いわゆる縦流れ）を形成する（矢印Ｙ１３）。なお、上側排気用ウォータージャケット８０の右前部８０ａは、出口開口部８３に近づくほど前側に位置するように傾斜しているので、右側の連通部６２から前方に向かって流入した冷却液は、上側排気用ウォータージャケット８０の右前部８０ａに案内されて出口開口部８３へ向かうように流れ易くなっている。上側排気用ウォータージャケット８０の内部を右から左へ流れた冷却液は、出口開口部８３からシリンダヘッド２の外部へ流出する。
【００５１】
図１３に示すように、排気側流入部９４から下側排気用ウォータージャケット９０に流入した冷却液（矢印Ｙ１４）は、前方に向かって流れて下側排気用ウォータージャケット９０の前端側で合流し、シリンダ１ａ（すなわち燃焼室頂部２１）の配列方向Ｌｂ（図８、図９参照）に沿う流れ（いわゆる縦流れ）を形成する（矢印Ｙ１５）。なお、下側排気用ウォータージャケット９０の右前部９０ａは、出口開口部９３に近づくほど前側に位置するように傾斜しているので、右側の排気側流入部９４及び追加流入部９５から前方に向かって流入した冷却液は、下側排気用ウォータージャケット９０の右前部９０ａに案内されて出口開口部９３へ向かうように流れ易くなっている。下側排気用ウォータージャケット９０の内部を右から左へ流れた冷却液（矢印Ｙ１５）は、出口開口部９３からシリンダヘッド２の外部へ流出する。
【００５２】
以上のように、本実施形態に係るシリンダヘッドのウォータージャケット構造によれば、上側排気用ウォータージャケット８０と下側排気用ウォータージャケット９０とは、シリンダヘッド２の内部において互いに独立した流路を形成しているので、冷却液の流れを互いに分離して流速の低下や冷却液の滞留箇所（淀み部）の発生を抑制することができる。そして、流速の低下や冷却液の滞留箇所（淀み部）の発生を極力少なくすることができるので、排気用ウォータージャケット７０の内部を流れる冷却液の流速を上昇させて少ない冷却液量で効率的に排気集合部２４を冷却することが可能となる。また、少ない冷却液量で効率的に排気集合部２４を冷却することができるので、排気用ウォータージャケット７０の容量を小さくすることができ、ひいてはシリンダヘッド２の小型化を図ることができる。
【００５３】
また、上側排気用ウォータージャケット８０及び下側排気用ウォータージャケット９０は、互いに他方側に向かって突出して排気集合部２４の下流側側部２４ｄに対向するように配置された突出部８１，９１を有するので、上側排気用ウォータージャケット８０と下側排気用ウォータージャケット９０とを互いに独立した流路としながら、排気集合部２４の下流側側部２４ｄを突出部８１，９１で被覆することができるので、排気集合部２４の冷却効率を向上させることができる。
【００５４】
また、吸気用ウォータージャケット５０は燃焼室用ウォータージャケット６０に連通し、燃焼室用ウォータージャケット６０は、上側排気用ウォータージャケット８０に連通しているので、シリンダヘッド２の鋳造時に用いる複数の中子のうち、吸気用ウォータージャケット５０、燃焼室用ウォータージャケット６０及び上側排気用ウォータージャケット８０に対応する中子（すなわち、図４に示す第１ウォータージャケット用中子１００）を一体に形成することができる。また、上側排気用ウォータージャケット８０と下側排気用ウォータージャケット９０とが互いに分離しているので、特許文献１のように連通路を形成するための中子を別途用意する必要がない。これにより、中子の増加が抑制され、製造工程（中子の設置作業）の煩雑化を抑制することができる。
【００５５】
また、燃焼室用ウォータージャケット６０に連通している上側排気用ウォータージャケット８０は、燃焼室頂部２１の配列方向Ｌｂに冷却液が流れるように形成されているので、流路面積が大きくても流速調整が容易になる。そのため、少ない冷却液量でも流速を速めて冷却効率を向上させることが容易になる。また、ブロック側ウォータージャケット１０から冷却液が直接流入する下側排気用ウォータージャケット９０も、燃焼室頂部２１の配列方向Ｌｂに冷却液が流れるように形成されているので、上記と同様の効果を奏する。
【００５６】
さらに、このような構成によれば、ブロック側ウォータージャケット１０のうち導入部１１から遠く比較的流速の遅い第２流路１６と、軸間冷却溝１３の第２流路１６側の端部１３ａと、の連結部位に跨るように（重なるように）、ガスケットの軸間貫通孔３３を設けたので、第２流路１６及び軸間冷却溝１３の第２流路１６側の端部１３ａからこの軸間貫通孔３３を通ってヘッド側ウォータージャケット４０に冷却液が流出する。そのため、軸間冷却溝１３の第２流路１６側の端部１３ａにおける冷却液の抵抗（圧力）が低くなり、軸間冷却溝１３内を冷却液が第１流路１５側から第２流路１６側に流れ易くなる。その結果、軸間冷却溝１３内での冷却液の滞留が抑制され、冷却液の流速が速くなり、シリンダ１ａ同士を仕切る隔壁１ｂの冷却効果が向上する。
【００５７】
また、このような構成によれば、第２流路１６と軸間冷却溝１３との連結部位に吸気用ウォータージャケット５０に通じる軸間貫通孔３３を設け、この軸間貫通孔３３に第２流路１６と軸間冷却溝１３から冷却液を供給するので、軸間冷却溝１３による隔壁１ｂの冷却効率が向上するとともに、吸気用ウォータージャケット５０に冷却液を十分に供給することができる。また、第２流路１６の一端側（下流側）に到達する冷却液が増えるので、第２流路１６の下流側に設けた燃焼室側貫通孔３４から比較的冷却要求の高い燃焼室用ウォータージャケット６０に十分な冷却液量を供給できる。そのため、内燃機関Ｅ全体の冷却効率を高めることができる。
【００５８】
また、このような構成によれば、比較的冷却要求の高い排気側に設けた導入部１１から冷却液を導入するので、排気側の流速を維持して冷却効率が高まる。さらに、軸間冷却溝１３の両端部１３ａ，１３ｂのうち、第２流路１６側の端部１３ａに比較して流路面積が狭く抵抗の高い第１流路１５側の端部１３ｂが冷却液の入口となり、ガスケット３の軸間貫通孔３３によって流路面積が広げられて抵抗の低い第２流路１６側の端部１３ａが冷却液の出口となるので、流速が高く温度の低い第１流路１５側から冷却液を流入させて軸間冷却溝１３内の流速を確保でき、少ない冷却液で効果的な冷却が可能となり、図示しないウォーターポンプの小型化を図ることができる。
【００５９】
また、このような構成によれば、最も高温となる排気集合部２４の下側に配置した下側排気用ウォータージャケット９０に、流速が高く温度の低い第１流路１５から排気側貫通孔３５を介して冷却液を供給することで、少ない冷却液で効果的な冷却が可能となり、内燃機関Ｅの小型化を図ることができる。
【００６０】
以上、本実施形態に係るシリンダヘッドのウォータージャケット構造について、図面を参照して詳細に説明したが、本発明はこれらの実施形態に限定されるものではなく、本発明の趣旨を逸脱しない範囲で適宜変更可能であることは言うまでもない。
【００６１】
例えば、本実施形態では、燃焼室用ウォータージャケット６０を、上側排気用ウォータージャケット８０に連通するように構成したが、本発明はこれに限定されるものではなく、上側排気用ウォータージャケット８０と下側排気用ウォータージャケット９０とが互いに独立した流路に成りさえすれば、燃焼室用ウォータージャケット６０を、下側排気用ウォータージャケット９０に連通するように構成してもよい。ちなみに、燃焼室用ウォータージャケット６０を、上側排気用ウォータージャケット８０に連通するように構成した方が、連通部６２の上下方向の厚さ寸法を大きくすることができるので、図４に示す第１ウォータージャケット用中子１００の剛性を大きくすることができる。
【００６２】
また、本実施形態では、上側排気用ウォータージャケット８０と下側排気用ウォータージャケット９０の両方に、突出部８１，９１を設けたが、本発明はこれに限定されるものではなく、上側排気用ウォータージャケット８０及び下側排気用ウォータージャケット９０のいずれか一方のみに突出部を設けるようにしてもよい。このような構成でも、上側排気用ウォータージャケット８０と下側排気用ウォータージャケット９０とを分離しながら、排気集合部２４の下流側側部２４ｄを冷却することができる。
【００６３】
また、本実施形態では、排気集合部２４の開口部２４ａを、シリンダヘッド２の左右方向の略中央となる位置に形成したが、左右のいずれかに片寄った位置に排気集合部２４の開口部２４ａを形成してもよい。
【００６４】
また、本発明は直列４気筒形式の内燃機関Ｅを例にとって説明したが、本発明はこれに限定されるものではなく、２気筒、３気筒等の他の気筒数の内燃機関Ｅにも適用可能であり、また、Ｖ型形式の内燃機関Ｅ等にも適用可能である。また、本発明は、自動車の内燃機関Ｅに限定されるものではなく、船舶や汎用機械などの他の内燃機関Ｅにも適用可能であることはいうまでもない。
【符号の説明】
【００６５】
１      シリンダブロック
１ａ    シリンダ
１ｂ    隔壁
２      シリンダヘッド
２１    燃焼室頂部
２２    吸気ポート
２３    排気ポート
２４    排気集合部
２４ｄ  下流側側部
３      ガスケット
３３    軸間貫通孔
１０    ブロック側ウォータージャケット
１１    導入部
１３    軸間冷却溝
１５    第１流路
１６    第２流路
４０    ヘッド側ウォータージャケット
５０    吸気用ウォータージャケット
６０    燃焼室用ウォータージャケット
７０    排気用ウォータージャケット
８０    上側排気用ウォータージャケット
８１    突出部
９０    下側排気用ウォータージャケット
９１    突出部
Ｅ      内燃機関
Ｌｃ    シリンダ軸線
【図１】
2014095342.tif 000003
【図２】
2014095342.tif 000004
【図３】
2014095342.tif 000005
【図４】
2014095342.tif 000006
【図５】
2014095342.tif 000007
【図６】
2014095342.tif 000008
【図７】
2014095342.tif 000009
【図８】
2014095342.tif 000010
【図９】
2014095342.tif 000011
【図１０】
2014095342.tif 000012
【図１１】
2014095342.tif 000013
【図１２】
2014095342.tif 000014
【図１３】
2014095342.tif 000015